(57)【要約】【課題】物件を利用する際に必要な情報を、出版物に掲載された所定の番号を基に、速やかに提供することを目的とする。【解決手段】出版物に掲載された物件に係る情報を提供する物件情報提供サーバ１における物件情報提供方法であって、ネットワーク５を介して接続されたユーザ端末２より、物件を特定する物件コードを取得する物件コード取得段階と、物件コードに基づいて、物件に係る情報を格納する物件情報データベース１０より物件に係る情報を検索して取得する物件情報取得段階と、物件情報取得段階において取得した物件に係る情報を表示内容とする物件情報画面を生成する画面生成段階と、画面生成段階において生成した物件情報画面をユーザ端末２に提供する画面提供段階とを有することによって、上記課題を解決する。【選択図】        図１
2004295394.tif 000002
【特許請求の範囲】
【請求項１】
出版物に掲載された物件に係る情報を提供する物件情報提供サーバにおける物件情報提供方法であって、
ネットワークを介して接続されたユーザ端末より、前記物件を特定する物件コードを取得する物件コード取得段階と、
前記物件コードに基づいて、前記物件に係る情報を格納する物件情報データベースより前記物件に係る情報を検索して取得する物件情報取得段階と、
前記物件情報取得段階において取得した前記物件に係る情報を表示内容とする物件情報画面を生成する画面生成段階と、
前記画面生成段階において生成した前記物件情報画面を前記ユーザ端末に提供する画面提供段階と
を有することを特徴とする物件情報提供方法。
【請求項２】
前記物件情報取得段階において取得した前記物件に係る情報は、データベースの検索キーを含むことを特徴とする請求項１記載の物件情報提供方法。
【請求項３】
前記物件情報画面は、当該周辺情報検索表示部を選択することにより、前記物件を中心としてその周辺の周辺情報を検索して表示する周辺情報検索表示部を有することを特徴とする請求項１又は２記載の物件情報提供方法。
【請求項４】
前記物件情報画面は、前記周辺情報の検索の条件を指定する検索条件指定部を更に有することを特徴とする請求項３記載の物件情報提供方法。
【請求項５】
前記検索条件指定部は、前記周辺情報の前記物件からの表示範囲を指定する距離指定部を有することを特徴とする請求項４記載の物件情報提供方法。
【請求項６】
前記検索条件指定部は、前記周辺情報のジャンルを指定するジャンル指定部を有することを特徴とする請求項４又は５記載の物件情報提供方法。
【請求項７】
前記物件情報画面は、当該地図情報表示部を選択することにより、前記物件の周辺の地図情報を表示する地図情報表示部を有することを特徴とする請求項１乃至６何れか一項記載の物件情報提供方法。
【請求項８】
前記物件情報画面は、当該気象情報表示部を選択することにより、前記物件の周辺の気象情報を表示する気象情報表示部を有することを特徴とする請求項１乃至７何れか一項記載の物件情報提供方法。
【請求項９】
前記物件情報画面は、当該ニュース・イベント情報表示部を選択することにより、前記物件及び／又はその周辺のニュース及び／又はイベント情報を表示するニュース・イベント情報表示部を有することを特徴とする請求項１乃至８何れか一項記載の物件情報提供方法。
【請求項１０】
前記物件情報画面は、当該経路検索表示部を選択することにより、前記物件までの経路情報を検索して経路情報検索表示部を有することを特徴とする請求項１乃至９何れか一項記載の物件情報提供方法。
【請求項１１】
前記物件情報画面は、当該路線検索表示部を選択することにより、前記物件までの路線情報を検索して表示する路線情報検索表示部を有することを特徴とする請求項１乃至１０何れか一項記載の物件情報提供方法。
【請求項１２】
前記物件情報画面は、当該投稿・閲覧部を選択することにより、前記物件に係る情報について投稿及び／又は閲覧する投稿・閲覧部を有することを特徴とする請求項１乃至１１何れか一項記載の物件情報提供方法。
【請求項１３】
複数のユーザ端末と、前記ユーザ端末とネットワークを介して接続されたサーバとを有する、出版物に掲載された物件に係る情報を提供する物件情報提供システムであって、
前記サーバは、前記物件に係る情報を格納する物件情報データベースと、
前記ユーザ端末より、前記物件を特定する物件コードを取得する物件コード取得手段と、
前記物件コードに基づいて、前記物件情報データベースより前記物件に係る情報を検索して取得する物件情報取得手段と、
前記物件情報取得手段において取得した前記物件に係る情報を表示内容とする物件情報画面を生成する画面生成手段と、
前記画面生成手段において生成した物件情報画面を前記ユーザ端末に提供する画面提供手段と
を有することを特徴とする物件情報提供システム。
【請求項１４】
出版物に掲載された物件に係る情報を提供する物件情報提供サーバであって、
前記物件に係る情報を格納する物件情報データベースと、
ネットワークを介して接続されたユーザ端末より、前記物件を特定する物件コードを取得する物件コード取得手段と、
前記物件コードに基づいて、前記物件情報データベースより前記物件に係る情報を検索して取得する物件情報取得手段と、
前記物件情報取得手段において取得した前記物件に係る情報を表示内容とする物件情報画面を生成する画面生成手段と、
前記画面生成手段において生成した物件情報画面を前記ユーザ端末に提供する画面提供手段と
を有することを特徴とする物件情報提供サーバ。
【請求項１５】
ネットワークを介して接続されたユーザ端末より、出版物に掲載された物件を特定する物件コードを取得する物件コード取得手順と、
前記物件コードに基づいて、前記物件情報データベースより前記物件に係る情報を検索して取得する物件情報取得手順と、
前記物件情報取得手順において取得した前記物件に係る情報を表示内容とする物件情報画面を生成する画面生成手順と、
前記画面生成手順において生成した物件情報画面を前記ユーザ端末に提供する画面提供手順と
をコンピュータに実行させるための物件情報提供プログラム。
【請求項１６】
請求項１５記載の物件情報提供プログラムを記憶したコンピュータ読み取り可能な記憶媒体。
【発明の詳細な説明】
【０００１】
【発明の属する技術分野】
本発明は、物件情報提供方法、物件情報提供システム、物件情報提供サーバ、物件情報提供プログラム及び物件情報提供プログラムを記憶したコンピュータ読み取り可能な記憶媒体に係り、特に出版物に掲載された物件に係る情報を提供する物件情報提供方法、物件情報提供システム、物件情報提供サーバ、物件情報提供プログラム及び物件情報提供プログラムを記憶したコンピュータ読み取り可能な記憶媒体に関する。
【０００２】
【従来の技術】
近年、掲載した宿に宿番号を、掲載したレストランなどのスポットにはスポット番号を付した出版物が出版されている（例えば、非特許文献１参照。）。
【０００３】
また、出版物に付されている宿番号又はスポット番号などのコードを入力するだけで、出版物に掲載されている宿やレストランなどの情報をユーザに提供するサービスも実際にインターネット上で開始されている。（例えば、非特許文献２参照）。
【０００４】
【非特許文献１】
「じゃらんガイドブック  箱根」（株）リクルート出版、平成１４年４月２２日発行
【０００５】
【非特許文献２】
“国内の宿／ホテル予約―イサイズじゃらん”、［ｏｎｌｉｎｅ］、じゃらんガイドブック、［平成１４年１２月２４日検索］、インターネット＜ｈｔｔｐ：／／ｗｗｗ．ｉｓｉｚｅ．ｃｏｍ／ｊａｌａｎ／＞
【０００６】
【発明が解決しようとする課題】
しかしながら、上記インターネット上で実施されているサービスは、出版物に掲載されている宿やホテルの情報を基に、ユーザに宿やホテルの予約をさせることを目的としているため、前記サービスでは、ユーザにとって必要な情報が必ずしも得られない問題があった。
【０００７】
例えば、宿やレストランなどの物件の最新情報や物件周辺の地図情報、物件周辺の気象情報及び物件までの経路情報、路線情報など物件に係るユーザが取得したい情報を、所定の番号を一度入力しただけでは得られない問題があった。
【０００８】
したがって、従来のサービスでは、ユーザが物件を利用する際に必要な情報を提供できない問題があった。
【０００９】
本発明は、上記の点に鑑みなされたもので、物件を利用する際に必要な情報を、出版物に掲載された所定の番号を基に、速やかに提供することを目的とする。
【００１０】
【課題を解決するための手段】
そこで、上記問題を解決するため、請求項１記載の発明は、出版物に掲載された物件に係る情報を提供する物件情報提供サーバにおける物件情報提供方法であって、ネットワークを介して接続されたユーザ端末より、前記物件を特定する物件コードを取得する物件コード取得段階と、前記物件コードに基づいて、前記物件に係る情報を格納する物件情報データベースより前記物件に係る情報を検索して取得する物件情報取得段階と、前記物件情報取得段階において取得した前記物件に係る情報を表示内容とする物件情報画面を生成する画面生成段階と、前記画面生成段階において生成した前記物件情報画面を前記ユーザ端末に提供する画面提供段階とを有することを特徴とする。
【００１１】
請求項１記載の発明によれば、出版物に掲載された物件に係る情報を提供する物件情報提供サーバにおける物件情報提供方法であって、ネットワークを介して接続されたユーザ端末より、前記物件を特定する物件コードを取得する物件コード取得段階と、前記物件コードに基づいて、前記物件に係る情報を格納する物件情報データベースより前記物件に係る情報を検索して取得する物件情報取得段階と、前記物件情報取得段階において取得した前記物件に係る情報を表示内容とする物件情報画面を生成する画面生成段階と、前記画面生成段階において生成した前記物件情報画面を前記ユーザ端末に提供する画面提供段階とを有することによって、物件を利用する際に必要な情報を、出版物に掲載された所定の番号を基に、速やかに提供することができる。
【００１２】
また、請求項２記載の発明は、前記物件情報取得段階において取得した前記物件に係る情報は、データベースの検索キーを含むことを特徴とする。
【００１３】
請求項２記載の発明によれば、前記物件情報取得段階において取得した前記物件に係る情報は、データベースの検索キーを含むことによって、ユーザ端末からの要求に応じて速やかにデータベースを検索することができる。
【００１４】
また、請求項３記載の発明は、前記物件情報画面は、当該周辺情報検索表示部を選択することにより、前記物件を中心としてその周辺の周辺情報を検索して表示する周辺情報検索表示部を有することを特徴とする。
【００１５】
請求項３記載の発明によれば、前記物件情報画面は、当該周辺情報検索表示部を選択することにより、前記物件を中心としてその周辺の周辺情報を検索して表示する周辺情報検索表示部を有することによって、前記物件を中心としてその周辺の周辺情報を表示することができる。
【００１６】
また、請求項４記載の発明は、前記物件情報画面は、前記周辺情報の検索の条件を指定する検索条件指定部を更に有することを特徴とする。
【００１７】
請求項４記載の発明によれば、記物件情報画面は、前記周辺情報の検索の条件を指定する検索条件指定部を更に有することによって、前記周辺情報の検索の条件を指定することができる。
【００１８】
また、請求項５記載の発明は、前記検索条件指定部は、前記周辺情報の前記物件からの表示範囲を指定する距離指定部を有することを特徴とする。
【００１９】
請求項５記載の発明によれば、前記検索条件指定部は、前記周辺情報の前記物件からの表示範囲を指定する距離指定部を有することによって、前記周辺情報の前記物件からの表示範囲を指定することができる。
【００２０】
また、請求項６記載の発明は、前記検索条件指定部は、前記周辺情報のジャンルを指定するジャンル指定部を有することを特徴とする。
【００２１】
請求項６記載の発明によれば、前記検索条件指定部は、前記周辺情報のジャンルを指定するジャンル指定部を有することによって、前記周辺情報のジャンルを指定することができる。
【００２２】
また、請求項７記載の発明は、前記物件情報画面は、当該地図情報表示部を選択することにより、前記物件の周辺の地図情報を表示する地図情報表示部を有することを特徴とする。
【００２３】
請求項７記載の発明によれば、前記物件情報画面は、当該地図情報表示部を選択することにより、前記物件の周辺の地図情報を表示する地図情報表示部を有することによって、前記物件の周辺の地図情報を表示することができる。
【００２４】
また、請求項８記載の発明は、前記物件情報画面は、当該気象情報表示部を選択することにより、前記物件の周辺の気象情報を表示する気象情報表示部を有することを特徴とする。
【００２５】
請求項８記載の発明によれば、前記物件情報画面は、当該気象情報表示部を選択することにより、前記物件の周辺の気象情報を表示する気象情報表示部を有することによって、前記物件の周辺の気象情報を表示することができる。
【００２６】
また、請求項９記載の発明は、前記物件情報画面は、当該ニュース・イベント情報表示部を選択することにより、前記物件及び／又はその周辺のニュース及び／又はイベント情報を表示するニュース・イベント情報表示部を有することを特徴とする。
【００２７】
請求項９記載の発明によれば、前記物件情報画面は、当該ニュース・イベント情報表示部を選択することにより、前記物件及び／又はその周辺のニュース及び／又はイベント情報を表示するニュース・イベント情報表示部を有することによって、前記物件及び／又はその周辺のニュース及び／又はイベント情報を表示することができる。
【００２８】
また、請求項１０記載の発明は、前記物件情報画面は、当該経路検索表示部を選択することにより、前記物件までの経路情報を検索して経路情報検索表示部を有することを特徴とする。
【００２９】
請求項１０記載の発明によれば、前記物件情報画面は、当該経路検索表示部を選択することにより、前記物件までの経路情報を検索して経路情報検索表示部を有することによって、前記物件までの経路情報を検索して表示することができる。
【００３０】
また、請求項１１記載の発明は、前記物件情報画面は、当該路線検索表示部を選択することにより、前記物件までの路線情報を検索して表示する路線情報検索表示部を有することを特徴とする。
【００３１】
請求項１１記載の発明によれば、前記物件情報画面は、当該路線検索表示部を選択することにより、前記物件までの路線情報を検索して表示する路線情報検索表示部を有することによって、前記物件までの路線情報を検索して表示することができる。
【００３２】
なお、路線情報とは、例えば、交通機関の利用ルート情報のことである。
【００３３】
また、請求項１２記載の発明は、前記物件情報画面は、当該投稿・閲覧部を選択することにより、前記物件に係る情報について投稿及び／又は閲覧する投稿・閲覧部を有することを特徴とする。
【００３４】
請求項１２記載の発明によれば、前記物件情報画面は、当該投稿・閲覧部を選択することにより、前記物件に係る情報について投稿及び／又は閲覧する投稿・閲覧部を有することによって、前記物件に係る情報について投稿及び／又は閲覧することができる。
【００３５】
また、請求項１３記載の発明は、複数のユーザ端末と、前記ユーザ端末とネットワークを介して接続されたサーバとを有する、出版物に掲載された物件に係る情報を提供する物件情報提供システムであって、前記サーバは、前記物件に係る情報を格納する物件情報データベースと、前記ユーザ端末より、前記物件を特定する物件コードを取得する物件コード取得手段と、前記物件コードに基づいて、前記物件情報データベースより前記物件に係る情報を検索して取得する物件情報取得手段と、前記物件情報取得手段において取得した前記物件に係る情報を表示内容とする物件情報画面を生成する画面生成手段と、前記画面生成手段において生成した物件情報画面を前記ユーザ端末に提供する画面提供手段とを有することを特徴とする。
【００３６】
請求項１３記載の発明によれば、複数のユーザ端末と、前記ユーザ端末とネットワークを介して接続されたサーバとを有する、出版物に掲載された物件に係る情報を提供する物件情報提供システムであって、前記サーバは、前記物件に係る情報を格納する物件情報データベースと、前記ユーザ端末より、前記物件を特定する物件コードを取得する物件コード取得手段と、前記物件コードに基づいて、前記物件情報データベースより前記物件に係る情報を検索して取得する物件情報取得手段と、前記物件情報取得手段において取得した前記物件に係る情報を表示内容とする物件情報画面を生成する画面生成手段と、前記画面生成手段において生成した物件情報画面を前記ユーザ端末に提供する画面提供手段とを有することによって、物件を利用する際に必要な情報を、出版物に掲載された所定の番号を基に、速やかに提供することができる。
【００３７】
また、請求項１４記載の発明は、出版物に掲載された物件に係る情報を提供する物件情報提供サーバであって、前記物件に係る情報を格納する物件情報データベースと、ネットワークを介して接続されたユーザ端末より、前記物件を特定する物件コードを取得する物件コード取得手段と、前記物件コードに基づいて、前記物件情報データベースより前記物件に係る情報を検索して取得する物件情報取得手段と、前記物件情報取得手段において取得した前記物件に係る情報を表示内容とする物件情報画面を生成する画面生成手段と、前記画面生成手段において生成した物件情報画面を前記ユーザ端末に提供する画面提供手段とを有することを特徴とする。
【００３８】
請求項１４記載の発明によれば、出版物に掲載された物件に係る情報を提供する物件情報提供サーバであって、前記物件に係る情報を格納する物件情報データベースと、ネットワークを介して接続されたユーザ端末より、前記物件を特定する物件コードを取得する物件コード取得手段と、前記物件コードに基づいて、前記物件情報データベースより前記物件に係る情報を検索して取得する物件情報取得手段と、前記物件情報取得手段において取得した前記物件に係る情報を表示内容とする物件情報画面を生成する画面生成手段と、前記画面生成手段において生成した物件情報画面を前記ユーザ端末に提供する画面提供手段とを有することによって、物件を利用する際に必要な情報を、出版物に掲載された所定の番号を基に、速やかに提供することができる。
【００３９】
また、請求項１５記載の発明は、ネットワークを介して接続されたユーザ端末より、出版物に掲載された物件を特定する物件コードを取得する物件コード取得手順と、前記物件コードに基づいて、前記物件情報データベースより前記物件に係る情報を検索して取得する物件情報取得手順と、前記物件情報取得手順において取得した前記物件に係る情報を表示内容とする物件情報画面を生成する画面生成手順と、前記画面生成手順において生成した物件情報画面を前記ユーザ端末に提供する画面提供手順とをコンピュータに実行させるための物件情報提供プログラムであることを特徴とする。
【００４０】
請求項１５記載の発明によれば、出版物に掲載された物件に係る情報を格納する物件情報データベースの前記物件に係る情報を定期的に更新する更新手順と、ネットワークを介して接続されたユーザ端末より、前記物件を特定する物件コードを取得する物件コード取得手順と、前記物件コードに基づいて、前記物件情報データベースより前記物件に係る情報を検索して取得する物件情報取得手順と、前記物件情報取得手順において取得した前記物件に係る情報を表示内容とする物件情報画面を生成する画面生成手順と、前記画面生成手順において生成した物件情報画面を前記ユーザ端末に提供する画面提供手順とをコンピュータに実行させることによって、物件を利用する際に必要な情報を、出版物に掲載された所定の番号を基に、速やかに提供することができる。
【００４１】
また、請求項１６記載の発明は、請求項１５記載の物件情報提供プログラムを記憶したコンピュータ読み取り可能な記憶媒体であることを特徴とする。
【００４２】
請求項１６記載の発明によれば、請求項１５記載の物件情報提供プログラムを記憶したコンピュータ読み取り可能な記憶媒体であることによって、請求項１５記載の物件情報提供プログラムを記録し、コンピュータに読み取らせて、プログラムを実行させることができる。
【００４３】
【発明の実施の形態】
以下、本発明の実施の形態について図面に基づいて説明する。
（システム構成）
図１は、本発明によるレジャー情報提供システムの一例のシステム構成図である。図１では説明に必要な構成を表し、説明に必要の無い構成を省略してある。以下の図においても同様である。
【００４４】
図１のレジャー情報提供システムは、レジャー情報提供サーバ１と、ＰＣ２と、ネットワーク５とから構成される。
【００４５】
レジャー情報提供サーバ１は、当該レジャー情報提供サーバ１とネットワーク５を介して接続されたＰＣ２より、出版物に掲載された物件を特定するＭＧコード７が送信されると、該ＭＧコード７を取得する。
【００４６】
レジャー情報提供サーバ１は、前記ＭＧコード７を取得すると、後述するレジャー情報データベース１０から前記ＭＧコード７によって指定された物件に係る情報を検索して取得する。
【００４７】
なお、レジャー情報データベース１０は、レジャー情報提供サーバ１に外付けされたハードディスクにインストールされている構成であってもよいし、レジャー情報提供サーバ１の内部にインストールされている構成であってもよい。
【００４８】
レジャー情報提供サーバ１は、前記物件に係る情報を表示内容とする後述するレジャー情報検索結果画面２０を生成し、該レジャー情報検索結果画面２０を前記ＰＣ２に提供する。
【００４９】
一方、ＰＣ２は、出版物に掲載された物件を特定するＭＧコード７をレジャー情報提供サーバ１に送信するとともに、レジャー情報提供サーバ１から提供されたレジャー情報検索結果画面２０を取得する。
【００５０】
ＰＣ２は、例えば、後述するようにレジャー情報検索結果画面２０の気象情報ボタン９７をユーザによって押されると、気象情報ボタン９７が押された旨の情報をレジャー情報提供サーバ１に送信する。
【００５１】
レジャー情報提供サーバ１は、レジャー情報検索結果画面２０の気象情報ボタン９７がユーザによって押された旨の情報をＰＣ２より取得すると、前記レジャー情報データベース１０から取得した物件に係る情報に含まれる後述する行政を特定するコードをキーとして気象情報に係るデータを格納する気象情報データベース（図示せず）より気象情報を検索して、取得する。
【００５２】
なお、レジャー情報データベース１０に格納されているデータ以外のデータが格納されている気象情報データベースなどは、レジャー情報データベース１０と同様に、レジャー情報提供サーバ１にインストールされている構成であってもよいし、他のシステムにおけるサーバなどにインストールされている構成であってもよい。
【００５３】
レジャー情報提供サーバ１は、取得した気象情報を基に気象情報画面２１を作成し、前記ＰＣ２に提供する。
【００５４】
なお、レジャー情報提供サーバ１にネットワーク５を介して接続され、ユーザによって入力されたＭＧコード７をレジャー情報提供サーバ１に送信し、レジャー情報提供サーバ１よりレジャー情報検索結果画面２０などのレジャー情報の提供を受けるのは、ＰＣ２に限られない。例えば、携帯電話やＰＤＡやＬモードに対応した電話及びカーナビなど他のユーザ端末であってもよい。
【００５５】
以下では、説明の簡略化のためユーザ端末の一例としてＰＣ２を用いて説明を行う。
（ハードウェア構成）
図２は、レジャー情報提供サーバのハードウェア構成図である。図２に示されるハードウェア構成は、それぞれバスＢで相互に接続されているドライブ装置８０と、補助記憶装置８１と、メモリ装置８２と、演算処理装置８３と、インタフェース装置８４と、データベース（以下、ＤＢという）８５とから構成されている。
【００５６】
インタフェース装置８４は、レジャー情報提供サーバ１をネットワーク５に接続する装置である。
【００５７】
レジャー情報提供サーバ１のプログラム（以下、レジャー情報提供プログラムという）は、例えば、ＣＤ−ＲＯＭなどの記録媒体によって、レジャー情報提供サーバ１に提供されるか、ネットワーク５を通じてダウンロードされる。ＣＤ−ＲＯＭなどの記録媒体は、ドライブ装置８０にセットされ、レジャー情報提供プログラムが記録媒体からドライブ装置８０を介して補助記憶装置８１にインストールされる。
【００５８】
補助記憶装置８１は、データやレジャー情報提供プログラムを格納するとともに、必要なファイルなどを格納する。メモリ装置８２は、レジャー情報配信サーバ１の起動時に補助記憶装置８１からレジャー情報配信プログラムを読み出して格納する。演算処理装置８３は、メモリ装置８２に読み出され、格納された電子資料配信プログラムに従って処理を実行する。
【００５９】
ＤＢ８５は、提供するレジャー情報、例えば後述するレジャー情報ＤＢ１０などを格納する。
【００６０】
なお、レジャー情報ＤＢ１０は、上述したように、レジャー情報提供サーバ１内にインストールされていてもよいし、レジャー情報提供サーバ１とネットワーク５を介して接続された他のサーバなどにインストールされていてもよい。このことは本発明の実施を制限するものではない。
（ガイドデータメインテーブル）
図３は、レジャー情報ＤＢを説明するための図（その１）である。レジャー情報ＤＢ１０は、ガイドデータメインテーブル５０をテーブルとして含む。
【００６１】
ガイドデータメインテーブル５０は、物件を特定するコードと、各物件のガイド情報とを含む。
【００６２】
各物件のガイド情報としては、例えば、行政区分を特定するコード、分類を特定するコード、物件名称、所在地情報、観光地情報、物件の位置情報などを含む。
【００６３】
レジャー情報提供サーバ１は、ＰＣ２よりＭＧコード７を取得すると、ガイドデータメインテーブル５０の物件を特定するコードに格納されているデータを検索し、前記ＭＧコード７と一致すると他の項目に格納されているデータを取得し、後述するレジャー情報検索結果画面２０を生成し、ＰＣ２に提供する。
【００６４】
なお、後述するように、レジャー情報提供サーバ１は、レジャー情報ＤＢ１０に格納されている他のテーブルなどからもデータを取得し、取得した情報をレジャー情報結果画面２０に埋め込み、ＰＣ２に提供する。
（出版物に掲載されているＭＧコード）
図４は、出版物に掲載されているＭＧコードの一例を説明するための図である。
【００６５】
図４に示されるように、ＭＧコード７は、出版物に掲載されている物件に付されている７〜８桁の数字である。
（トップ画面）
図５は、レジャー情報を提供するトップ画面の一例を説明するための図である。
【００６６】
図５に示すように、レジャー情報提供システムが提供するレジャー情報のトップ画面９には、ＭＧコード７を入力するためのＭＧコード入力用テキストボックスが２箇所存在する。
【００６７】
ユーザは、出版物に掲載されている物件を利用する際に必要な情報（例えば、物件周辺の地図情報や周辺情報、気象情報など）取得したい場合には、図４に示したように、出版物に掲載されている物件に付加されているＭＧコード７を、図５のＭＧコード入力用テキストボックスに入力して表示ボタンをクリックする。
【００６８】
一方、レジャー情報提供サーバ１は、ＰＣ２などのユーザ端末からＭＧコード７を取得すると、図３のガイドデータメインテーブル５０の物件を特定するコードに格納されているデータを検索し、ＭＧコード７と一致するデータが存在すると他の項目に格納されているデータ及び他のテーブルのデータを取得し、これらのデータを埋め込んだ形で後述するレジャー情報検索結果画面２０を生成し、ＰＣ２に提供する。
（レジャー情報検索結果画面）
図６は、レジャー情報検索結果画面の一例を説明するための図である。
【００６９】
図６に示すように、レジャー情報提供サーバ１は、指定された物件に関するデータを表示内容とするレジャー情報検索結果画面２０を作成し、ＰＣ２に提供する。
【００７０】
また、図６に示すように、レジャー情報検索結果画面２０は、物件を中心としてその周辺情報検索を行う検索ボタン９０や、検索の条件を設定する検索対象となるジャンルを選択するジャンル選択チェックボックス９１、前記物件からの表示範囲を指定する距離選択コンボボックス９２、検索結果の表示件数を指定する検索表示件数ラジオボタン９３などを有する。
（周辺情報）
ユーザは、レジャー情報検索結果画面２０の表示物件の周辺情報を検索する場合は、例えば、図６のジャンル選択チェックボックス９１にチェックを入れジャンルを選択し、距離選択コンボボックス９２において物件からの距離を選び、検索表示件数ラジオボタン９３で表示件数を指定して、検索ボタン９０をクリックする。
【００７１】
図７は、レジャー情報ＤＢを説明するための図（その２）である。
【００７２】
レジャー情報ＤＢ１０は、ガイドデータメインテーブル５０と、分類データテーブル５１とをテーブルとして含む。
【００７３】
分類データテーブル５１は、分類を特定するコードと、分類に関する各種情報とを含む。
【００７４】
なお、分類データテーブル５１の分類を特定するコードと、ガイドデータメインテーブル５０の分類を特定するコードとは関係をもつ。
【００７５】
レジャー情報提供サーバ１は、ＰＣ２より、ジャンル、距離及び表示件数を指定され、検索ボタン９０をクリックされた旨の情報を取得すると、分類データテーブル５１の分類を特定するコードより、ガイドデータメインテーブル５０の分類を特定するコードを参照してジャンルを検索し、且つガイドデータメインテーブル５０の物件の位置情報で物件からの距離を検索し、検索条件に合ったデータをレジャー情報ＤＢ１０より取得する。
【００７６】
レジャー情報提供サーバ１は、取得したデータのうち、ＰＣ２からの検索要求において指定された件数を表示件数とする後述する周辺情報検索結果画面２２を作成し、ＰＣ２に提供する。
【００７７】
また、レジャー情報提供サーバ１は、周辺情報検索結果画面２２に表示する周辺情報の１つがユーザによってクリックされた旨の情報をＰＣ２より取得すると、周辺情報検索結果画面２２に含まれる物件を特定するコードを用いて、対応するデータをガイドデータメインテーブル５０及び／又は関連する他のテーブルより取得し、前記データを表示内容とするレジャー情報検索結果画面２０を作成し、ＰＣ２に提供する。
【００７８】
図８は、周辺情報検索の一例の画面遷移図である。
【００７９】
図８（Ａ）は、レジャー情報検索結果画面２０においてジャンルと、距離が選択され、検索表示件数が指定されて、周辺情報検索を行う検索ボタン９０がクリックされた一例の図である。
【００８０】
図８（Ｂ）は、周辺情報検索結果画面２２の一例の図である。上述したように、レジャー情報提供サーバ１は、例えば、検索条件が設定され、図８（Ａ）に表示している検索ボタン９０がユーザによってクリックされた旨の情報をＰＣ２より取得すると、図８（Ｂ）に示すように、指定した検索条件に合致した周辺情報を表示内容とする周辺情報検索結果画面２２を作成し、ＰＣ２に提供する。
【００８１】
図８（Ｃ）は、レジャー情報検索結果画面２０の他の例を説明するための図である。上述したように、レジャー情報提供サーバ１は、図８（Ｂ）に表示している周辺情報の１つがユーザによってクリックされた旨の情報をＰＣ２より取得すると、該情報を表示内容とするレジャー情報検索結果画面２０を作成し、ＰＣ２に提供する。
【００８２】
ユーザは、図６の表示物件の周辺情報を、ジャンルや、距離など条件を指定して検索することができる。
（地図）
また、図６に示すように、レジャー情報検索結果画面２０は、地図ボタン９５を有する。
【００８３】
ユーザは、レジャー情報検索結果画面２０の表示物件の周辺の地図情報を取得したい場合は、例えば図６の地図ボタン９５をクリックする。
【００８４】
ＰＣ２は、地図ボタン９５がユーザによってクリックされると、地図ボタン９５がユーザによってクリックされた旨の情報をレジャー情報提供サーバ１に送信する。
【００８５】
レジャー情報提供サーバ１は、ＰＣ２より、地図ボタン９５がクリックされた旨の情報を取得すると、図６において説明したレジャー情報検索結果画面２０に含まれる図３のガイドデータメインテーブル５０の物件の位置情報を検索キーとして、当該レジャー情報提供サーバ１とネットワーク５を介して接続された地図情報ＤＢ（図示せず）より、地図情報を取得する。
【００８６】
レジャー情報提供サーバ１は、取得した地図情報を用いて、後述する地図画面２３を作成し、ＰＣ２に提供する。
【００８７】
図９は、地図画面の一例を説明するための図である。図９に示されるように、レジャー情報提供サーバ１は、例えば、図６のレジャー情報検索結果画面２０において地図ボタン９５がクリックされた旨の情報をＰＣ２より取得すると、前記表示物件の周辺の地図情報を表示内容とする地図画面２３を作成し、ＰＣ２に提供する。
【００８８】
ユーザは、図６の表示物件の周辺の地図情報を取得することができる。
（イベント＆ニュース）
また、図６に示すように、レジャー情報検索結果画面２０は、イベント＆ニュースボタン９６を有する。
【００８９】
ユーザは、レジャー情報検索結果画面２０の表示物件及び／又はその周辺のニュース及び／又はイベント情報を取得したい場合は、イベント＆ニュースボタン９６をクリックする。
【００９０】
図１０は、レジャー情報ＤＢを説明するための図（その３）である。
【００９１】
レジャー情報ＤＢ１０は、ガイドデータメインテーブル５０と、イベント・ニュース記事データテーブル５２とをテーブルとして含む。
【００９２】
イベント・ニュース記事データテーブル５２は、イベント・ニュース記事を特定するコードと、イベント・ニュース記事の各種情報とを含む。
【００９３】
レジャー情報提供サーバ１は、ＰＣ２よりイベント＆ニュースボタン９６がクリックされた旨の情報を取得すると、レジャー情報検索結果画面２０に含まれる物件の位置情報のデータを用いて、イベント・ニュース記事データテーブル５２よりイベント・ニュース記事の各種情報を取得する。
【００９４】
レジャー情報提供サーバ１は、取得したイベント・ニュース記事の各種情報が複数存在する場合は、該イベント・ニュース記事の各種情報の一覧を表示内容とする後述するイベント＆ニュース一覧画面２４を作成し、ＰＣ２に提供する。
【００９５】
また、レジャー情報提供サーバ１は、イベント＆ニュース一覧画面２４に表示するイベント＆ニュースの１つがユーザによってクリックされた旨の情報をＰＣ２より取得すると、イベント＆ニュース一覧画面２４に含まれるイベント・ニュース記事を特定するコードを検索キーとして、当該レジャー情報提供サーバ１とネットワーク５を介して接続されたイベント＆ニュース詳細ＤＢ（図示せず）よりイベント＆ニュースの詳細情報を取得する。
【００９６】
レジャー情報提供サーバ１は、取得した詳細情報を表示内容とする後述するイベント＆ニュース詳細画面２５を作成し、ＰＣ２に提供する。
【００９７】
図１１は、イベント＆ニュース取得の一連の画面遷移図である。
【００９８】
図１１（Ａ）は、レジャー情報検索結果画面２０においてイベント＆ニュースボタン９６がクリックされた一例の図である。
【００９９】
図１１（Ｂ）は、イベント＆ニュース一覧画面２４の一例の図である。上述したように、レジャー情報提供サーバ１は、図１１（Ａ）に示されるイベント＆ニュースボタン９６がユーザによってクリックされた旨の情報をＰＣ２より取得すると、図１１（Ｂ）に示すように、イベント＆ニュースの情報の一覧を表示内容とするイベント＆ニュース一覧画面２４を作成し、ＰＣ２に提供する。
【０１００】
図１１（Ｃ）は、イベント＆ニュース詳細画面２５の一例の図である。上述したように、レジャー情報提供サーバ１は、図１１（Ｂ）に表示しているイベント＆ニュースの１つがユーザによってクリックされた旨の情報をＰＣ２より取得すると、該イベント＆ニュースの詳細情報を表示内容とするイベント＆ニュース詳細画面２５を作成し、ＰＣ２に提供する。
【０１０１】
ユーザは、図６の表示物件の周辺のイベント＆ニュース情報を取得することができる。
（気象情報）
また、図６に示すように、レジャー情報検索結果画面２０は、気象予報ボタン９７を有する。
【０１０２】
ユーザは、レジャー情報検索結果画面２０の表示物件周辺の気象情報を取得したい場合は、気象予報ボタン９７をクリックする。
【０１０３】
図１２は、レジャー情報ＤＢを説明するための図（その３）である。
【０１０４】
レジャー情報ＤＢ１０は、ガイドデータメインテーブル５０と、天気予報区分対応テーブル５３と、天気予報区分データテーブル６１とをテーブルとして含む。
【０１０５】
天気予報区分対応テーブル５３は、行政を特定するコードと、行政区分・天気予報区分対応に関する各種情報と、天気予報区分を特定するコードとを含む。
【０１０６】
なお、天気予報区分対応テーブル５３の行政を特定するコードと、ガイドデータメインテーブル５０の行政を特定するコードとは関係をもつ。
【０１０７】
天気予報区分データテーブル６１は、天気予報区分を特定するコードと、天気予報区分の各種情報とを含む。
【０１０８】
天気予報区分対応テーブル５３の天気予報区分を特定するコードと、天気予報区分データテーブル６１の天気予報区分を特定するコードとは関係をもつ。
【０１０９】
レジャー情報提供サーバ１は、ＰＣ２より気象予報ボタン９７がクリックされた旨の情報を取得すると、図６において説明したレジャー情報検索結果画面２０に含まれる行政区分を特定するコード及び／又は所在地情報をキーとして、天気予報区分対応テーブル５３を用いて対応する天気予報区分を特定するコードを特定し、該天気予報区分を特定するコードを検索キーとして、当該レジャー情報提供サーバ１とネットワーク５を介して接続された気象情報ＤＢ（図示せず）より、気象情報を取得する。
【０１１０】
レジャー情報提供サーバ１は、取得した気象情報を用いて後述する気象情報画面２１を作成し、ＰＣ２に提供する。
【０１１１】
図１３は、気象情報画面の一例を説明するための図である。図１３に示されるように、レジャー情報提供サーバ１は、例えば、図６のレジャー情報検索結果画面２０において気象予報ボタン９７がクリックされた旨の情報をＰＣ２より取得すると、前記表示物件が所属するエリアの気象情報を表示内容とする気象情報画面２１を作成し、ＰＣ２に提供する。
【０１１２】
ユーザは、図６の表示物件の周辺のエリアの気象情報を取得することができる。
（ドライブ情報）
また、図６に示すように、レジャー情報検索結果画面２０は、ドライブルート検索ボタン９８を有する。
【０１１３】
ユーザは、レジャー情報検索結果画面２０の表示物件までの車での経路検索を行う場合は、例えば図６のドライブルート検索ボタン９８をクリックする。
【０１１４】
図１４は、レジャー情報ＤＢを説明するための図（その５）である。
【０１１５】
レジャー情報ＤＢ１０は、ガイドデータメインテーブル５０と、インターチェンジデータテーブル５４とをテーブルとして含む。
【０１１６】
インターチェンジデータテーブル５４は、インターチェンジを特定するコードと、インターチェンジに関する各種情報とを含む。インターチェンジに関する各種情報としては、例えば、インターチェンジの位置情報などがある。
【０１１７】
ＰＣ２は、ドライブルート検索ボタン９８がユーザによってクリックされると、ドライブルート検索ボタン９８がユーザによってクリックされた旨の情報をレジャー情報提供サーバ１に送信する。
【０１１８】
レジャー情報提供サーバ１は、ＰＣ２よりドライブルート検索ボタン９８がクリックされた旨の情報を取得すると、レジャー情報検索結果画面２０に含まれる物件の位置情報のデータを用いて、インターチェンジデータテーブル５４のインターチェンジを特定するコードを取得し、ドライブルート検索条件設定画面２６を作成して、ＰＣ２に提供する。
【０１１９】
また、レジャー情報提供サーバ１は、ドライブルート検索条件設定画面２６に表示する検索結果表示ボタンがユーザによってクリックされた旨の情報をＰＣ２より取得すると、ドライブルート検索条件設定画面２６に含まれるインターチェンジデータテーブル５４のインターチェンジを特定するコードをキーとして、またドライブルート検索条件設定画面２６において設定された条件を基に、レジャー情報提供サーバ１とネットワーク５を介して接続されたドライブ情報ＤＢ（図示せず）より、ドライブ情報を取得する。
【０１２０】
レジャー情報提供サーバ１は、取得したドライブ情報を用いて、後述するドライブ情報画面２７を作成し、ＰＣ２に提供する。
【０１２１】
図１５は、ドライブ情報検索の一例の画面遷移図である。
【０１２２】
図１５（Ａ）は、レジャー情報検索結果画面２０においてドライブルート検索ボタン９８がクリックされた一例の図である。
【０１２３】
図１５（Ｂ）は、ドライブルート検索条件設定画面２６の一例の図である。上述したように、レジャー情報提供サーバ１は、図１５（Ａ）に示されるドライブルート検索ボタン９８がユーザによってクリックされた旨の情報をＰＣ２より取得すると、図１５（Ｂ）に示すように、ドライブ情報の検索条件などを表示内容とするドライブルート検索条件設定画面２６を作成し、ＰＣ２に提供する。
【０１２４】
図１５（Ｃ）は、ドライブ情報画面２７の一例の図である。上述したように、レジャー情報提供サーバ１は、図１５（Ｂ）に表示されている検索結果表示ボタンがユーザによってクリックされた旨の情報をＰＣ２より取得すると、物件までの経路情報を表示内容とするドライブ情報画面２７を作成し、ＰＣ２に提供する。
【０１２５】
ユーザは、図６の表示物件までの車での経路情報を取得することができる。
（路線情報）
また、図６に示すように、レジャー情報検索結果画面２０は、路線検索ボタン９９を有する。
【０１２６】
ユーザは、レジャー情報検索結果画面２０の表示物件までの鉄道及び／又は航空機などを用いた路線検索を行う場合は、路線検索ボタン９９をクリックする。
【０１２７】
図１６は、レジャー情報ＤＢを説明するための図（その６）である。
【０１２８】
レジャー情報ＤＢ１０は、ガイドデータメインテーブル５０と、駅データテーブル５５とをテーブルとして含む。
【０１２９】
駅データテーブル５５は、駅を特定するコードと、駅に関する各種情報とを含む。なお、駅に関する情報として、例えば、駅の位置情報などがある。
【０１３０】
ＰＣ２は、路線検索ボタン９９がユーザによってクリックされると、路線検索ボタン９９がユーザによってクリックされた旨の情報をレジャー情報提供サーバ１に送信する。
【０１３１】
レジャー情報提供サーバ１は、ＰＣ２より路線検索ボタン９９がクリックされた旨の情報を取得すると、レジャー情報検索結果画面２０に含まれる物件の位置情報のデータを用いて、駅データテーブル５５の駅を特定するコードを検索し、該駅を特定するコードを含む後述する路線検索条件設定画面２８を作成し、ＰＣ２に提供する。
【０１３２】
また、レジャー情報提供サーバ１は、路線検索条件設定画面２８に表示する路線探索結果表示ボタンがユーザによってクリックされた旨の情報をＰＣ２より取得すると、路線検索条件設定画面２８に含まれる駅データテーブル５５の駅を特定するコードをキーとして、また路線検索条件設定画面２８において設定された条件を基に、レジャー情報提供サーバ１とネットワーク５を介して接続された路線情報ＤＢ（図示せず）より、路線情報を取得する。
【０１３３】
レジャー情報提供サーバ１は、取得した路線情報を用いて、後述する路線情報画面２９を作成し、ＰＣ２に提供する。
【０１３４】
図１７は、路線情報検索の一例の画面遷移図である。
【０１３５】
図１７（Ａ）は、レジャー情報検索結果画面２０において路線検索ボタン９９がクリックされた一例の図である。
【０１３６】
図１７（Ｂ）は、路線検索条件設定画面２８の一例の図である。上述したように、レジャー情報提供サーバ１は、図１７（Ａ）に示される路線検索ボタン９９がユーザによってクリックされた旨の情報をＰＣ２より取得すると、図１７（Ｂ）に示すように、路線情報の検索条件などを表示内容とする路線検索条件設定画面２８を作成し、ＰＣ２に提供する。
【０１３７】
図１７（Ｃ）は、路線情報画面２９の一例の図である。上述したように、レジャー情報提供サーバ１は、図１７（Ｂ）に表示されている路線探索結果表示ボタンがユーザによってクリックされた旨の情報をＰＣ２より取得すると、物件までの路線情報を表示内容とする路線情報画面２９を作成し、ＰＣ２に提供する。
【０１３８】
ユーザは、図６の表示物件までの路線情報を取得することができる。
（投稿・評価）
また、図６に示すように、レジャー情報検索結果画面２０は、投稿・評価ボタン１０２を有する。
【０１３９】
ユーザは、レジャー情報検索結果画面２０の表示物件に関する投稿及び／又は評価の閲覧を行う場合は、投稿・評価ボタン１０２をクリックする。
【０１４０】
図１８は、レジャー情報ＤＢを説明するための図（その７）である。
【０１４１】
レジャー情報ＤＢ１０は、投稿者に関するデータテーブル５８と、投稿・評価データテーブル６０とをテーブルとして含む。
【０１４２】
投稿・評価データテーブル６０は、物件を特定するコードと、投稿・評価に関する各種情報とを含む。なお、例えば、投稿・評価に関する各種情報としては、投稿内容関連情報や投稿名を特定するコードとを含む。
【０１４３】
なお、投稿・評価データテーブル６０の物件を特定するコードと、ガイドデータメインテーブル５０の物件を特定するコードとは関係をもつ。
【０１４４】
投稿者に関するデータテーブル５８は、投稿名を特定するコードと、投稿名に関する各種情報とを含む。
【０１４５】
なお、投稿・評価データテーブル６０の投稿名を特定するコードと、投稿者に関するデータテーブル５８の投稿名を特定するコードとは関係をもつ。
【０１４６】
ＰＣ２は、投稿・評価ボタン１０２がユーザによってクリックされると、投稿・評価ボタン１０２がユーザによってクリックされた旨の情報をレジャー情報提供サーバ１に送信する。
【０１４７】
レジャー情報提供サーバ１は、ＰＣ２より投稿・評価ボタン１０２がクリックされた旨の情報を取得すると、レジャー情報検索結果画面２０に含まれる物件を特定するコードを用いて、投稿・評価データテーブル６０を参照し、後述する閲覧画面３４及び投稿画面３５を作成し、ＰＣ２に提供する。
【０１４８】
なお、閲覧画面３４及び投稿画面３５は、同一の１つの画面であってもよい。
【０１４９】
図１９は、閲覧画面及び投稿画面の一例を説明するための図である。図１９に示されるように、レジャー情報提供サーバ１は、例えば、図６のレジャー情報検索結果画面２０において投稿・評価ボタン１０２がクリックされた旨の情報をＰＣ２より取得すると、物件を利用したユーザによる物件に関する情報を表示内容とする閲覧画面３４及び物件に関する情報を投稿する投稿画面３５を作成し、ＰＣ２に提供する。
【０１５０】
ユーザは、ペンネームなどを用いて、図６の表示物件の情報を投稿したり、図６の表示物件に係る投稿（評価情報）を閲覧することができる。
（レジャー情報検索結果画面提供処理）
図２０は、レジャー情報提供サーバにおけるレジャー情報検索結果画面提供処理の一例のフローチャートである。
【０１５１】
ステップＳ２０において、レジャー情報提供サーバ１は、ネットワークを介して接続されたＰＣ２よりＭＧコード７を取得したかどうかを判定する。
【０１５２】
レジャー情報提供サーバ１は、ＰＣ２よりＭＧコード７を取得したと判定すると（ステップＳ２０においてＹＥＳ）、ステップＳ２１に進み、ＭＧコード７を取得していないと判定すると（ステップＳ２０においてＮＯ）、ステップＳ２０の処理を繰り返す。
【０１５３】
ステップＳ２１において、レジャー情報提供サーバ１は、取得したＭＧコード７を用いて、レジャー情報ＤＢ１０のガイドデータメインテーブル５０などの物件を特定するコードを検索する。
【０１５４】
ステップＳ２１に続いてステップＳ２２に進み、レジャー情報提供サーバ１は、ステップＳ２１における検索結果に基づいて、レジャー情報ＤＢ１０より物件に係る情報を取得する。
【０１５５】
例えば、レジャー情報提供サーバ１は、ガイドデータメインテーブル５０の各項目に格納されているデータや、天気予報区分対応テーブル５３の各項目に格納されているデータなどを取得する。
【０１５６】
ステップＳ２２に続いてステップＳ２３に進み、レジャー情報提供サーバ１は、ステップＳ２２において取得したデータに基づいて、図６において説明したレジャー情報検索結果画面２０を作成する。
【０１５７】
ステップＳ２３に続いてステップＳ２４に進み、レジャー情報提供サーバ１は、ステップＳ２３において作成したレジャー情報検索結果画面２０をＰＣ２に提供する。
【０１５８】
ユーザは、図４に示すように、出版物に掲載されているＭＧコード７を、図５に示すＭＧコード入力用テキストボックスに入力して表示ボタンをクリックすることによって、図６に示すレジャー情報検索結果画面２０を取得する。
【０１５９】
ユーザはレジャー情報検索結果画面２０の地図ボタン９５、イベント＆ニュースボタン９６、気象情報ボタン９７、ドライブルート検索ボタン９８、路線検索ボタン９９、投稿・評価ボタン１０２、などをクリックすることによって、表示物件に係る様々な情報を取得することができる。
【０１６０】
なお、上述したように、気象情報ＤＢ、地図情報ＤＢ、イベント＆ニュース詳細ＤＢ、ドライブ情報ＤＢ、路線情報ＤＢ及び出版物ＤＢなどは、レジャー情報提供サーバ１とネットワーク５を介して接続された他のサーバ内にインストールされていてもよいし、レジャー情報提供サーバ１内にインストールされていてもよい。
【０１６１】
また、上述したような画面遷移は、本発明の実施を制限するものではない、例えば、該レジャー情報提供システムを利用するユーザの登録を行う際に、ユーザの最寄りインターチェンジなどユーザに係る情報を予め登録しておいて、ドライブルート検索ボタン９８がユーザによってクリックされると、すぐに検索を行い、ドライブ情報画面２７を作成し、ＰＣ２に提供するような構成としてもよい。
【０１６２】
【発明の効果】
上述の如く、本発明によれば、物件を利用する際に必要な情報を、出版物に掲載された所定の番号を基に、速やかに提供することができる。
【０１６３】
【図面の簡単な説明】
【図１】本発明によるレジャー情報提供システムの一例のシステム構成図である。
【図２】レジャー情報提供サーバのハードウェア構成図である。
【図３】レジャー情報ＤＢを説明するための図（その１）である。
【図４】出版物に掲載されているＭＧコードの一例を説明するための図である。
【図５】レジャー情報を提供するトップ画面の一例を説明するための図である。
【図６】レジャー情報検索結果画面の一例を説明するための図である。
【図７】レジャー情報ＤＢを説明するための図（その２）
【図８】周辺情報検索の一例の画面遷移図である。
【図９】地図画面の一例を説明するための図である。
【図１０】レジャー情報ＤＢを説明するための図（その３）である。
【図１１】イベント＆ニュース取得の一連の画面遷移図である。
【図１２】レジャー情報ＤＢを説明するための図（その４）である。
【図１３】気象情報画面の一例の図である。
【図１４】レジャー情報ＤＢを説明するための図（その５）である。
【図１５】ドライブ情報検索の一例の画面遷移図である。
【図１６】レジャー情報ＤＢを説明するための図（その６）である。
【図１７】路線情報検索の一例の画面遷移図である。
【図１８】レジャー情報ＤＢを説明するための図（その７）である。
【図１９】閲覧画面及び投稿画面の一例を説明するための図である。
【図２０】レジャー情報提供サーバにおけるレジャー情報検索結果画面提供処理の一例のフローチャートである。
【符号の説明】
１    レジャー情報提供サーバ
２    ＰＣ（パーソナルコンピュータ）
５    ネットワーク
７    ＭＧコード
１０    レジャー情報データベース
１９    トップ画面
２０    レジャー情報検索結果画面
２１    気象情報画面
２２    周辺情報検索結果画面
２３    地図画面
２４    イベント＆ニュース一覧画面
２５    イベント＆ニュース詳細画面
２６    ドライブルート検索条件設定画面
２７    ドライブ情報画面
２８    路線検索条件設定画面
２９    路線情報画面
３４    閲覧画面
３５    投稿画面
５０    ガイドデータメインテーブル
５１    分類データテーブル
５２    イベント・ニュース記事データテーブル
５３    天気予報区分対応テーブル
５４    インターチェンジデータテーブル
５５    駅データテーブル
５８    投稿者に関するデータテーブル
６０    登録・評価情報テーブル
６１    天気予報区分データテーブル
８０    ドライブ装置
８１    補助記憶装置
８２    メモリ装置
８３    演算処理装置
８４    インタフェース装置
８５    ＤＢ（データベース）
９０    検索ボタン
９１    ジャンル選択チェックボックス
９２    距離選択コンボボックス
９３    検索表示件数ラジオボタン
９５    地図ボタン
９６    イベント＆ニュースボタン
９７    気象情報ボタン
９８    ドライブルート検索ボタン
９９    路線検索ボタン
１０２    投稿・評価ボタン
【図１】
2004295394.tif 000003
【図２】
2004295394.tif 000004
【図３】
2004295394.tif 000005
【図４】
2004295394.tif 000006
【図５】
2004295394.tif 000007
【図６】
2004295394.tif 000008
【図７】
2004295394.tif 000009
【図８】
2004295394.tif 000010
【図９】
2004295394.tif 000011
【図１０】
2004295394.tif 000012
【図１１】
2004295394.tif 000013
【図１２】
2004295394.tif 000014
【図１３】
2004295394.tif 000015
【図１４】
2004295394.tif 000016
【図１５】
2004295394.tif 000017
【図１６】
2004295394.tif 000018
【図１７】
2004295394.tif 000019
【図１８】
2004295394.tif 000020
【図１９】
2004295394.tif 000021
【図２０】
2004295394.tif 000022